(57)【要約】【課題】生体情報の検出中に検出部と被検体である指との位置がずれず、ホルダの重力を利用して指を押圧し、生体情報を検出できる生体情報検出装置を提供する。【解決手段】生体情報検出装置１は、切欠き面２３を有する下筐体２、重り３３を有する上筐体３、支持部４、および検出部５を少なくとも備える。下筐体２は、上筐体３の下方に設けられる。支持部４は、下筐体２と上筐体３とを回動可能に連結し、下筐体２の第２面２２および上筐体３の第１面３４が離隔した第１状態と、下筐体２の第２面２２および上筐体３の第１面３４が近接した第２状態とに切り替え可能である。検出部５は、上筐体３の第１面３４から下筐体２の第２面２２に向けて突出して上筐体３に設けられる。【選択図】図４
2016067625.tif 000002
【特許請求の範囲】
【請求項１】
指から生体情報を検出する生体情報検出装置であって、
第１面と特定の位置とを有する第１部材と、
前記第１面に対向する第２面を有する第２部材と、
前記第１部材に、前記第２部材の前記第２面に対向して設けられた検出部と、
前記第１部材の前記第１面と前記第２部材の前記第２面とが離隔した第１状態と、前記第１部材の前記第１面と前記第２部材の前記第２面とが近接した第２状態とに切り替え可能な支持部と
を備え、
前記第２面は、前記第２状態において、前記検出部の下方に位置する領域を少なくとも含む面であって、前記指を保持する第１特定面を有し、
前記検出部は、
前記第１特定面に保持された前記指に向けて光を発光する発光素子と、前記発光素子により発光された光のうち、前記第１特定面に保持された前記指によって反射された反射光を受光する受光素子とを備え、
前記第２状態において、前記第１特定面に保持された前記指に接触し、前記第１特定面に保持された前記指に向けて前記発光素子によって発光された光のうち前記第１特定面に保持された前記指によって反射された反射光の強度を前記受光素子によって検出し、
前記支持部は、前記第１部材が、前記第２状態において、前記第１部材の重力によって、前記第１特定面に保持された前記指に対し所定の荷重を負荷するよう構成されることを特徴とする生体情報検出装置。
【請求項２】
前記支持部は、
前記特定の位置に少なくとも回動軸を備え、
前記第１部材が前記第２部材に対して、前記回動軸を支点として回動することにより、前記第１状態と前記第２状態とに切り替え可能なことを特徴とする請求項１に記載の生体情報検出装置。
【請求項３】
前記検出部は、前記第１面から前記第２面に向けて突出して設けられたことを特徴とする請求項２に記載の生体情報検出装置。
【請求項４】
前記検出部は、前記第１面に形成された凹部内に、前記第１面に対して少なくとも上下方向に移動可能に設けられたことを特徴とする請求項３に記載の生体情報検出装置。
【請求項５】
前記検出部は、
上方に突出する部材であって、かつ前記凹部内に接触する支点部を有し、
前記凹部内に接触した前記支点部を支点として、前記第１面に対して回動可能であることを特徴とする請求項４に記載の生体情報検出装置。
【請求項６】
前記支持部は、
前記第２面から垂直上方に延び、前記第１部材に形成された複数の穴である複数の軸棒挿通穴に挿通される複数の軸棒を備え、
前記複数の軸棒挿通穴が前記複数の軸棒に沿って上下移動することにより、前記第１部材が前記第２面に対して上下に移動し、前記第１状態と前記第２状態とに切り替え可能なことを特徴とする請求項１に記載の生体情報検出装置。
【請求項７】
前記第１特定面は、前記特定の位置の方向に向かって前記第１面に近づく向きに傾斜することを特徴とする請求項１から６のいずれかに記載の生体情報検出装置。
【請求項８】
前記第２部材は、
前記第１特定面を含み、前記第１特定面に対して反対側に第３面を有する第１特定部材と、
前記第２面のうち前記第１特定面を除く面である第２特定面を含む第２特定部材とを有し、
前記第２状態において、前記第１面の下方で、前記第１特定面と前記第１面との間の距離を、第１距離と、前記第１距離より大きい第２距離とに上下に切り替える切替部を備えたこと特徴とする請求項１から７のいずれかに記載の生体情報検出装置。
【請求項９】
前記切替部は、
水平方向に移動可能であり、かつ前記第１特定部材の下方に配置可能に設けられ、
前記第３面と接触する位置に水平移動することにより、前記第１特定面と前記第２状態における前記第１面との間の距離を、前記第２距離から前記第１距離に切り替え、
前記第３面に接触しない位置に水平移動することにより、前記第１特定面と前記第２状態における前記第１面との間の距離を、前記第１距離から前記第２距離に切り替えることを特徴とする請求項８に記載の生体情報検出装置。
【請求項１０】
前記切替部は、
前記第２特定部材に形成された穴である第１穴に貫通し、前記第１特定部材に形成された穴である第２穴に螺合する少なくとも１つのねじを備え、
前記ねじを締めることにより、前記第１特定面と前記第２状態における前記第１面との間の距離を、前記第２距離から前記第１距離に切り替え、
前記ねじを緩めることにより、前記第１特定面と前記第２状態における前記第１面との間の距離を、前記第１距離から前記第２距離に切り替えること特徴とする請求項８に記載の生体情報検出装置。
【請求項１１】
前記第２部材の重量である第２重量は前記第１部材の重量である第１重量よりも小さいことを特徴とする請求項１から１０のいずれかに記載の生体情報検出装置。
【請求項１２】
前記第１部材の重心は、前記特定の位置と、前記第１部材における前記特定の位置とは反対側の端との中心の位置よりも前記端側にあることを特徴とする請求項１から１１のいずれかに記載の生体情報検出装置。
【発明の詳細な説明】
【技術分野】
【０００１】
本発明は、血液中の成分を非侵襲で検出する生体情報検出装置に関する。
【背景技術】
【０００２】
従来、脈波や脈拍、血液中の酸素飽和度等の生体情報を検出する生体情報検出装置が知られている。生体情報検出装置は、発光素子および受光素子を内蔵する検出部を備える。生体情報の検出時、検出部は、検出面に被検体（例えば、測定者の指）が押し当てられた状態で、発光素子により発光する。発光された光は、指の血管に到達すると、一部が血液中のヘモグロビンに吸収され、一部が反射または透過する。ゆえに、発光された光の到達位置を流れるヘモグロビン量が血液量に応じて変化すると、発光された光の反射光および透過光の強度は変化する。すなわち、発光された光の反射光および透過光の強度は、脈拍に応じて変化する。検出部は、発光された光の反射光または透過光の強度変化を受光素子によって検出し、生体情報を検出する。
【０００３】
指の血管は、検出面に指が押し当てられる強さに応じて断面形状が変形し、検出面に対する射影面積が変化する。検出面に対する指の押圧力が小さく、発光素子により発光された光の反射光または透過光の強度変化量が弱まると、検出部は、生体情報を検出できない可能性がある。また、検出面に対する指の押圧力が大きく、血管が扁平に潰れて血液量が少なくなると、検出部は、生体情報を検出できない可能性がある。特許文献１には、挿入穴を備えたホルダに指の掌面を上向きに挿入し、ホルダの重力を利用して指の掌面を押圧して、血液中のヘモグロビンを分析する血液分析装置が開示されている。この血液分析装置は、ホルダの下側に発光素子を備え、上側に受光素子を備えている。そして、発光素子により発光された光のうち、挿入穴に挿入された指を透過した光の強度変化を受光素子により検出し、血液中のヘモグロビンを分析する。
【先行技術文献】
【特許文献】
【０００４】
【特許文献１】特開２００３−２７５１９２号公報
【発明の概要】
【発明が解決しようとする課題】
【０００５】
しかしながら、特許文献１の血液分析装置は、ホルダの下側と挿入穴に挿入された指の背面との間に隙間が生じうる。隙間が生じた場合、受光素子に対して指の掌面がずれやすくなる。そのため、検出結果に指のずれによる体動ノイズが乗ってしまい、正確な検出ができないとうという問題点があった。
【０００６】
本開示は、上記の問題点に鑑みてなされたものであり、生体情報の検出中に検出部と被検体である指との位置がずれず、ホルダの重力を利用して指を押圧し、生体情報を検出できる生体情報検出装置を提供することを目的とする。
【課題を解決するための手段】
【０００７】
本発明の一実施の様態によれば、指から生体情報を検出する生体情報検出装置であって、第１面と特定の位置とを有する第１部材と、前記第１面に対向する第２面を有する第２部材と、前記第１部材に、前記第２部材の前記第２面に対向して設けられた検出部と、前記第１部材の前記第１面と前記第２部材の前記第２面とが離隔した第１状態と、前記第１部材の前記第１面と前記第２部材の前記第２面とが近接した第２状態とに切り替え可能な支持部とを備え、前記第２面は、前記第２状態において、前記検出部の下方に位置する領域を少なくとも含む面であって、前記指を保持する第１特定面を有し、前記検出部は、前記第１特定面に保持された前記指に向けて光を発光する発光素子と、前記発光素子により発光された光のうち、前記第１特定面に保持された前記指によって反射された反射光を受光する受光素子とを備え、前記第２状態において、前記第１特定面に保持された前記指に接触し、前記第１特定面に保持された前記指に向けて前記発光素子によって発光された光のうち前記第１特定面に保持された前記指によって反射された反射光の強度を前記受光素子によって検出し、前記支持部は、前記第１部材が、前記第２状態において、前記第１部材の重力によって、前記第１特定面に保持された前記指に対し所定の荷重を負荷するよう構成されることを特徴とする生体情報検出装置が提供される。
【０００８】
生体情報の検出精度は、検出部が指を押圧する押圧力の大きさと、指の位置ずれによる体動ノイズとが影響する。例えば、使用者が指の掌面を検出部に当てて脈波を測定する場合、第１状態において、使用者の指は、第２部材の第１特定面に指の背面を押し当てるように保持される。次いで、使用者は、支持部によって第１状態から第２状態に切り替えることにより、第１部材に設けられた検出部を指の掌面に接触させる。すなわち、支持部によって第１状態から第２状態に切り替えることにより、第１部材と第２部材とで指を保持する。これにより、指の背面が第１特定面に固定されるので、生体情報検出装置は、指のずれを小さくできる。さらに、第１部材が第１部材の重力により、指に対して所定の荷重を負荷する。これにより、使用者の意思に因らず指を押圧できるので、使用者の違いによる押圧力の差異を小さくできる。これらにより、生体情報検出装置は、生体情報を精度よく検出できる。
【０００９】
本様態において、前記支持部は、前記特定の位置に少なくとも回動軸を備え、前記第１部材が前記第２部材に対して、前記回動軸を支点として回動することにより、前記第１状態と前記第２状態とに切り替え可能であってもよい。この場合、使用者は、回動軸を支点として第１部材を第２部材に対して回動させることにより、第１状態と第２状態とを切り替える。このように、使用者は、容易に第１状態と第２状態とを切り替えることができる。ゆえに、使用者は、容易に指を固定させることができる。
【００１０】
本様態において、前記検出部は、前記第１面から前記第２面に向けて突出して設けられてもよい。この場合、検出部が第１面から第２面に向けて突出していることにより、生体情報検出装置は、検出部のみを指の掌面に適切に接触させることができる。検出部以外に応力がかかると、その部分の血流を抑えてしまい、検出部の血流を止めてしまう可能性がある。本構成により検出以外の血流を止める可能性が小さくなるので、検出部は、生体情報を精度よく検出できる。また、生体情報検出装置は、指の掌面に対して大きい面積部分で検出部を密着させることができるので、指に対して安定的に荷重が負荷される。これにより、検出部に対して指がずれにくくなるので、生体情報検出装置は、生体情報を精度よく検出できる。
【００１１】
本様態において、前記検出部は、前記第１面に形成された凹部内に、前記第１面に対して少なくとも上下方向に移動可能に設けられてもよい。この場合、検出部が第１面に対して上下移動することにより、検出部は、指の掌面に対して大きい面積部分で密着できるので、指に対して安定的に荷重が負荷される。これにより、検出部に対して指がずれにくくなるので、生体情報検出装置は、生体情報を精度よく検出できる。
【００１２】
本様態において、前記検出部は、上方に突出する部材であって、かつ前記凹部内に接触する支点部を有し、前記凹部内に接触した前記支点部を支点として、前記第１面に対して回動可能であってもよい。この場合、検出部が第１面に対して回動することにより、検出部は、指の掌面に対して大きい面積部分で密着できるので、指に対して安定的にかつ均一に荷重が負荷される。これにより、検出部に対して指がずれにくくなるので、生体情報検出装置は、生体情報を精度よく検出できる。
【００１３】
本様態において、前記支持部は、前記第２面から垂直上方に延び、前記第１部材に形成された複数の穴である複数の軸棒挿通穴に挿通される複数の軸棒を備え、前記複数の軸棒挿通穴が前記複数の軸棒に沿って上下移動することにより、前記第１部材が前記第２面に対して上下に移動し、前記第１状態と前記第２状態とに切り替え可能であってもよい。この場合、使用者は、複数の軸棒を軸として第１部材を第２部材に対して上下移動させることにより、第１状態と第２状態とを切り替える。このように、使用者は、容易に第１状態と第２状態とを切り替えることができる。ゆえに、使用者は、容易に指を固定させることができる。
【００１４】
本様態において、前記第１特定面は、前記特定の位置の方向に向かって前記第１面に近づく向きに傾斜してもよい。この場合、指を保持するための第１特定面が特定の位置の方向に向かって第１面に近づく向きに傾斜していることにより、生体情報検出装置は、先細りの形状である指に対して検出部を水平に接触させることができる。これにより、検出部は、指の掌面に対して大きい面積部分で密着するので、指に対して安定的にかつ均一に荷重が負荷される。ゆえに、検出部に対して指がずれにくくなるので、生体情報検出装置は、生体情報を精度よく検出できる。
【００１５】
本様態において、前記第２部材は、前記第１特定面を含み、前記第１特定面に対して反対側に第３面を有する第１特定部材と、前記第２面のうち前記第１特定面を除く面である第２特定面を含む第２特定部材とを有し、前記第２状態において、前記第１面の下方で、前記第１特定面と前記第１面との間の距離を、第１距離と、前記第１距離より大きい第２距離とに上下に切り替える切替部を備えてもよい。この場合、切替部により、指の上下方向の厚みに応じて、第１特定面と第２状態における第１面との間の距離を、第１距離と第２距離とに調整できる。これにより、上下方向の厚みが異なる指に対しても、安定的に荷重が負荷される。ゆえに、検出部に対して指がずれにくくなるので、生体情報検出装置は、生体情報を精度よく検出できる。
【００１６】
本様態において、前記切替部は、水平方向に移動可能であり、かつ前記第１特定部材の下方に配置可能に設けられ、前記第３面と接触する位置に水平移動することにより、前記第１特定面と前記第２状態における前記第１面との間の距離を、前記第２距離から前記第１距離に切り替え、前記第３面に接触しない位置に水平移動することにより、前記第１特定面と前記第２状態における前記第１面との間の距離を、前記第１距離から前記第２距離に切り替えてもよい。この場合、切替部を第３面と接触する位置と接触しない位置とに切り替えることにより、指の上下方向の厚みに応じて、第１特定面と第２状態における第１面との間の距離を、第１距離と第２距離とに調整できる。これにより、上下方向の厚みが異なる指に対しても、安定的に荷重が負荷される。ゆえに、検出部に対して指がずれにくくなるので、生体情報検出装置は、生体情報を精度よく検出できる。
【００１７】
本様態において、前記切替部は、前記第２特定部材に形成された穴である第１穴に貫通し、前記第１特定部材に形成された穴である第２穴に螺合する少なくとも１つのねじを備え、前記ねじを締めることにより、前記第１特定面と前記第２状態における前記第１面との間の距離を、前記第２距離から前記第１距離に切り替え、前記ねじを緩めることにより、前記第１特定面と前記第２状態における前記第１面との間の距離を、前記第１距離から前記第２距離に切り替えてもよい。この場合、ねじを締めたり緩めたりすることにより、指の上下方向の厚みに応じて、第１特定面と第２状態における第１面との間の距離を、第１距離と第２距離とに調整できる。これにより、上下方向の厚みが異なる指に対しても、安定的に荷重が負荷される。ゆえに、検出部に対して指がずれにくくなるので、生体情報検出装置は、生体情報を精度よく検出できる。
【００１８】
本様態において、前記第２部材の重量である第２重量は前記第１部材の重量である第１重量よりも小さくてもよい。この場合、第２部材の第２重量を、所定の荷重を負荷する第１部材の第１重量よりも小さくすることにより、第２部材の第２重量を第１部材の第１重量より大きくしたときに比べ、生体情報検出装置の総重量を小さくできる。ゆえに、使用者は、生体情報検出装置を容易に持ち運ぶことができる。
【００１９】
本様態において、前記第１部材の重心は、前記特定の位置と、前記第１部材における前記特定の位置とは反対側の端との中心の位置よりも前記端側にあってもよい。この場合、所定の荷重を負荷する第１部材の重心を、特定の位置と、第１部材における特定の位置とは反対側の端との中心の位置よりも端側に設けることにより、検出部にかかるモーメントは大きくなる。これにより、指に所定の荷重を負荷するための第１重量を小さくできるので、生体情報検出装置の総重量を小さくできる。
【図面の簡単な説明】
【００２０】
【図１】生体情報検出装置１の斜視図である。
【図２】生体情報検出装置１の主要部の前後軸および上下軸上の平面に平行な平面の断面図である。
【図３】生体情報検出装置１の主要部の左右軸および上下軸上の平面に平行な平面の断面図である。
【図４】生体情報を検出する時の生体情報検出装置１の断面図である。
【図５】生体情報検出装置１１の斜視図である。
【図６】生体情報検出装置１２のスペーサー８０２が台座筐体７１に接触しない位置に配置された状態の側面図である。
【図７】生体情報検出装置１２のスペーサー８０２が台座筐体７１の下方に配置された状態の側面図である。
【図８】生体情報検出装置１３の側面図である。
【発明を実施するための形態】
【００２１】
以下、本発明の一実施形態について、図面を参照して説明する。参照する図面は、本発明が採用しうる技術的特徴を説明するために用いられるものである。図面に記載されている装置の構成は、それのみに限定する趣旨ではなく、単なる説明例である。以下の説明では、図２の上側、下側、右側、左側、表面側、および裏面側を、それぞれ生体情報検出装置１の上側、下側、後側、前側、右側、および左側と定義する。
【００２２】
図１から図４に示すように、生体情報検出装置１は、下筐体２、上筐体３、支持部４、および検出部５を主として備える。また、詳しくは後述するが、生体情報検出装置１は、指６の掌面に照射した光の反射光５９の強度変化に基づいて生体情報（例えば、脈波）を検出する装置である。
【００２３】
図１および図２を参照して、下筐体２について説明する。下筐体２は、樹脂製である。下筐体２は、第１箱部材２０および一対の第１延出部材２１を備える。第１箱部材２０は略直方体の部材である。第１箱部材２０の高さは、第１箱部材２０の下面の各辺の長さよりも短い。一対の第１延出部材２１のそれぞれは、第１箱部材２０の後側の側面の左右両端部近傍から、後方に延びる。一対の第１延出部材２１のそれぞれの前後方向の長さは、第１箱部材２０の下面の各辺の長さと略等しい。一対の第１延出部材２１のそれぞれは、後端近傍に第１支持穴２９を有する。第１支持穴２９は、一対の第１延出部材２１を左右方向にそれぞれ貫通する。なお、生体情報検出装置１において、下筐体２の長手方向の第１箱部材２０側および第１延出部材２１方向は、それぞれ、前側および後側に対応する。下筐体２の短手方向は、左右方向に対応する。重力方向および重力方向とは反対方向は、それぞれ、下側および上側に対応する。
【００２４】
下筐体２の上面（以下、「第２面２２」という。）は、切欠き面２３および特定面２４を備える。切欠き面２３は、第２面２２の後側の辺（以下、「第２辺２５」という。）よりもわずかに前側の部分から、第２面２２の前側の辺にわたって形成される。切欠き面２３の左右方向の長さは、第２面２２の左右方向の長さよりも短い。特定面２４は、第２面２２のうち切欠き面２３を除く面である。
【００２５】
切欠き面２３は、水平面２６、傾斜面２７、および側面２８を備える。水平面２６は、下筐体２の下面に水平である。水平面２６の形状は、平面視にて略正方形である。水平面２６は、下筐体２の前側の側面の位置から、第１箱部材２０の前後方向の略中心位置までの部分に形成される。下筐体２の下面から水平面２６までの高さは、下筐体２の下面から第２面２２までの高さの略半分である。傾斜面２７は、下筐体２の下面に対して角度を有する。傾斜面２７は、水平面２６の後方の辺の位置から、下筐体２の第２辺２５よりもわずかに前側の位置までの部分に形成される。傾斜面２７の形状は、略半円である。傾斜面２７は、後方に向かって上方に傾斜する。側面２８は、水平面２６および傾斜面２７と、特定面２４との間にわたって上下方向に延びる。
【００２６】
なお、傾斜面２７の傾斜角度は、水平面２６に対しておよそ１５度が好ましい。理由は次の通りである。第１関節６０から爪の付け根の長さは、およそ１１ｍｍである。第１関節６０の指６の掌面と背面との厚みと、爪の付け根部分の指６の掌面と背面との厚みとの差は、およそ２．５ｍｍである。以上の関係より、第１関節６０の指６の掌面側から指６の先端への方向と第１関節６０の指６の背面側から指６の先端への方向とのなす角度は、およそ１３度である。また、指６の先端近傍の方が第１関節６０近傍よりも毛細血管が多いため、生体情報検出装置は、指６の先端近傍に後述の検出部５が接触した方が、生体情報を精度よく検出できる。そのため、１３度よりも僅かに大きい角度である方が、生体情報の検出時に指がずれた場合においても、検出部５が指６の先端側に当たりやすいため、生体情報検出装置１は、生体情報を精度よく検出できる。以上を根拠として、傾斜面２７の傾斜角度は、水平面２６に対しておよそ１５度とした。
【００２７】
なお、傾斜面２７の傾斜方向の長さは、２．０５〜３．１５ｃｍが好ましい。理由は次の通りである。第２〜４指の指長さの統計値によると、最も指長さが長い人の指長さの最大値と、最も指長さが短い人の指長さの最小値との差は、３．３ｃｍである。指の先端から第１関節までの長さが、最も指長さが長い人の最大値と、最も指長さが短い人の最小値との差は、３．３ｃｍの３分の１に相当すると考えてよいので、指の先端から第１関節までの長さが、最も指長さが長い人の最大値と、最も指長さが短い人の最小値との差は、およそ１．１ｃｍである。また、指の先端から第１関節までの長さの平均値は、２．６ｃｍである。以上を根拠として、２．６ｃｍを中心として、＋０．５５ｃｍである３．１５ｃｍを上限と、−０．５５ｃｍである２．０５ｃｍを下限とした。
【００２８】
図１および図２を参照して、上筐体３について説明する。上筐体３は、樹脂製である。上筐体３は、下筐体２の上方に配設される。上筐体３は、第２箱部材３０、第２延出部材３１、一対の第３延出部材３２、および重り３３を備える。第２箱部材３０の形状は、略直方体である。第２箱部材３０の下面（以下、「第１面３４」という。）の平面形状は、下筐体２の下面の平面形状と略等しい。第２延出部材３１および一対の第３延出部材３２の形状は、板状である。
【００２９】
第２延出部材３１は、第２箱部材３０のうち第１面３４と反対側の面から後方に向けて、第１面３４と平行に延びる。以下、第２延出部材３１の後側の辺を、「第１辺３５」という。上筐体３の第２箱部材３０の後端から第１辺３５までの長さは、第１面３４の各辺の長さよりもわずかに短い。第２箱部材３０の高さは、下筐体２の第１箱部材２０の高さと略等しい。
【００３０】
一対の第３延出部材３２のそれぞれは、第２延出部材３１の左右両側から下方に向けて延びる。一対の第３延出部材３２のそれぞれは、後方端近傍に突出部３６を備える。突出部３６は、下方に向けて突出する。突出部３６は、下端近傍に第２支持穴３７を備える。第２支持穴３７は、突出部３６を左右方向にそれぞれ貫通する。
【００３１】
上筐体３は、第１面３４の略中央に凹部３８が形成される。凹部３８には、後述する検出部５が設けられる。
【００３２】
上筐体３の第２箱部材３０の内部には、空間が形成される。上筐体３は、第２箱部材３０の内部の空間に、前側の面から前後方向中央よりやや後方にわたって重り３３を備える。重り３３は金属製である。なお、重り３３は銅製であることが好ましいが、これに限定されない。
【００３３】
図１および図４を参照して、２つの支持部４について説明する。２つの支持部４のそれぞれの形状は、円柱状である。２つの支持部４の一方は、下筐体２の２つの第１支持穴２９の一方と、上筐体３の２つの第２支持穴３７の一方とに挿通される。２つの支持部４の他方は、下筐体２の２つの第１支持穴２９の他方と、上筐体３の２つの第２支持穴３７の他方とに挿通される。下筐体２と上筐体３とは、２つの支持部４を軸として回動可能に連結される。以下、図１に示すように、下筐体２の第２面２２と上筐体３の第１面３４とが離隔した状態を第１状態という。図４に示すように、下筐体２の第２面２２と上筐体３の第１面３４とが近接した状態を第２状態という。
【００３４】
図１から図４を参照して、検出部５について説明する。検出部５は、検出部ケース５０、受光素子ケース５１、受光素子５２（例えば、フォトダイオード）、および発光素子５３（例えば、Ｌｉｇｈｔ  Ｅｍｉｔｔｉｎｇ  Ｄｉｏｄｅ）を主に備える。検出部ケース５０の形状は、略直方体である。検出部ケース５０の大きさは、上筐体３の凹部３８よりもわずかに小さい。検出部ケース５０は、受光素子ケース５１、受光素子５２、および発光素子５３を収容する。検出部ケース５０は、底面に透光板５４を備える。透光板５４は、発光素子５３により発光された照射光５８や反射された反射光５９を透過させる。透光板５４の左右方向の中央部は、下方に向けて突出する。
【００３５】
なお、透光板５４の下方に向けて突出する、左右方向の中央部の突出距離は、およそ１ｍｍであることが好ましい。理由は、次の通りである。生体情報の検出時、指６にかかる荷重により、指６は、およそ１ｍｍ潰れる。そのため、透光板５４の左右方向の中央部がおよそ１ｍｍ下方に突出することにより、指６の検出部５があたる部分以外に荷重がかかり、血流が抑制される可能性が小さくなる。以上を根拠として、透光板５４の下方に向けて突出する、左右方向の中央部の突出距離は、およそ１ｍｍとした。ただし、これに限定されない。
【００３６】
検出部ケース５０の上面かつ後方の両角に、２つの支点部５５が設けられる。２つの支点部５５のそれぞれは、検出部ケース５０の上面の両側から上方に向けて突起する。検出部ケース５０は、左右両側に一対の隆起部５６を備える。一対の隆起部５６のそれぞれは、検出部の左側面および右側面から外側に隆起する。
【００３７】
検出部ケース５０は、上筐体３の第１面３４と同一平面よりも透光板５４が下方に突出する状態で、凹部３８内に設けられる。検出部ケース５０の一対の隆起部５６のそれぞれは、上筐体３の凹部３８の側壁に設けられた溝５７に嵌まる。検出部ケース５０は、溝５７が一対の隆起部５６を下方から支持することによって、上筐体３から落下しないように支持される。
【００３８】
検出部５は、凹部３８に篏合された状態で、凹部３８内で上下方向に移動可能である。さらに、２つの支点部５５のそれぞれが凹部３８の底壁に接触し、検出部ケース５０の上方への移動を規制する。このため、図４に示すように、検出部５は、支点部５５を支点として上筐体３に対して回動可能となる。
【００３９】
受光素子ケース５１は、検出部ケース５０の上面の下方に配設される。受光素子５２は、光を受光する。受光素子５２の形状は、略矩形の板状である。受光素子５２の左右方向の中央部は、下方に向けて突出する。受光素子５２は、受光素子ケース５１に固定される。発光素子５３は、光を発光する。発光素子５３は、受光素子５２の左右方向の中央部近傍の左右それぞれに設けられる。
【００４０】
次に、図１および図４を参照して生体情報検出装置１の使用方法について説明する。使用者は、上筐体３を上方に回動させ、第１状態（図１参照）で切欠き面２３に指６を載置する。この時、使用者は、指６の第１関節６０から先端の部分を傾斜面２７に沿って載置し、指６の第１関節６０から基端方向の部分を水平面２６に沿って載置し、指６の先端を側面２８の後方部に突き当てる。次いで、使用者は、上筐体３を下方に回動させて、検出部５を指６の掌面に接触させ、第２状態（図４参照）とする。次いで、発光素子５３を発光させて生体情報の検出を開始する。なお、詳しくは後述するが、第２状態では、重り３３の重力によって指６に所定の荷重が負荷される。
【００４１】
発光素子５３により指６に向けて発光された光は、指６に照射される。指６に照射された照射光５８は、指６の血管６１に到達すると、一部が血液中のヘモグロビンに吸収され、一部が反射または透過する。その反射光５９は、受光素子５２によって受光される。ゆえに、照射光５８が血管６１に到達した到達位置を流れるヘモグロビン量が血液量に応じて変化すると、その変化に応じて反射光５９の強度も変化する。すなわち、反射光５９の強度は、脈拍に応じて変化するため、受光素子５２によって反射光５９を検出することにより、脈波等の生体情報を検出できる。
【００４２】
次に、生体情報検出装置１が生体情報の検出精度を向上させる原理について説明する。生体情報の検出精度は、検出部５が指６を押圧する押圧力の大きさと、指６の位置ずれによる体動ノイズとが影響する。先述したように、生体情報検出装置１は、指６に照射した照射光５８の反射光５９の強度変化により生体情報を検出する（図４参照）。反射光５９の強度変化量は、血管６１に到達する照射光５８の強度と、その照射光５８が血液中を流れるヘモグロビンによって吸収される量に応じて変化する。
【００４３】
ところで、血液中を流れるヘモグロビンの量は、血管６１が扁平に潰れると減少する。また、血管６１に到達する照射光５８の強度は、血管６１の検出部５に対向する射影面積（以下、「血管６１の面積」という。）によって変化する。血管６１の面積は指６への押圧力に応じて変化するため、生体情報検出装置１は、適切な押圧力で指６を押圧しなければならない。例えば、指６への押圧力が大きすぎると、血管６１が扁平に潰れて血液量が少なくなり、血液中のヘモグロビンの量が減少するので、脈拍による血液中のヘモグロビンの量の変化（すなわち反射光５９の強度変化）が小さくなり、生体情報の検出精度が悪くなる。また、指６への押圧力が小さすぎると、血管６１の面積が小さくなり、照射光５８の吸収量が減少するので、脈拍による反射光５９の強度変化が小さくなるため、生体情報の検出精度が悪くなる。よって、適切な押圧力で指６を押圧することにより、ヘモグロビンの量と血管６１の面積との比率が適切になる。すなわち、生体情報の検出時、常に指６に対して一定の適切な押圧力を負荷することにより、生体情報を精度よく検出できる。
【００４４】
また、反射光５９の強度は、生体情報の検出時に指６が検出部５に対してずれることによっても変化する。そのため、使用者は、生体情報の検出時は、指６を移動させてはならない。すなわち、生体情報の検出時、指６を適切に固定することにより、生体情報を精度よく検出できる。
【００４５】
生体情報検出装置１は、支持部４によって第１状態から第２状態に切り替えることにより、下筐体２と上筐体３とで指６を保持する。これにより指６の掌面および背面共に隙間が生じない。すなわち、指６の上下移動が規制される。ゆえに、生体情報検出装置１は、生体情報の検出時の指６のずれを小さくできる。ゆえに、生体情報検出装置１は、生体情報を精度よく検出できる。
【００４６】
また、生体情報検出装置１は、上筐体３の内部に備えられた重り３３の重力により、下筐体２の切欠き面２３に載置された指６に対して、押圧力を負荷する。これにより、使用者は指６を移動させづらくなる。ゆえに、検出部５に対して指６はずれにくくなる。さらに、重り３３の重力は常に一定であるので、生体情報検出装置１は、適切な重量の重り３３を備えることにより、生体情報の検出時に、常に一定の適切な押圧力を指６に対して負荷できる。適切な重量とは、押圧力が強すぎて血流が止まったり、押圧力が弱すぎて脈波検出中に指６が移動してしまったりしない重量である。同様に、使用者が異なる場合においても、一定の適切な押圧力を指６に対して負荷できる。ゆえに、生体情報検出装置１は、生体情報を精度よく検出できる。
【００４７】
また、生体情報検出装置１は、下筐体２と上筐体３とを回動可能に連結する支持部４を備えている。これにより、使用者は、支持部４を回動軸として下筐体２に対して上筐体３を回動させることにより、容易に第１状態と第２状態とを切り替えることができる。ゆえに、使用者は、容易に指６を固定させることができる。
【００４８】
また、生体情報検出装置１は、上筐体３の第１面３４よりも下方に突出して設けられる検出部５を備えている。これにより、生体情報検出装置１は、検出部５のみを指６の掌面に適切に接触させることができる。検出部５以外の箇所に指６の掌面が接触すると、指６の検出部５が接触する部分以外の血流が抑制される可能性があり、その結果、指６の検出部５が接触する部分の血流が本来あるべき血流量よりも小さくなる可能性がある。これに対して、検出部５のみに指６の掌面が接触すると、血流が止まる可能性が小さくなる。血流が止まる可能性が小さくなるので、生体情報検出装置１は、生体情報を精度よく検出できる。また、検出部５は、指６の掌面に対して大きい面積部分で密着できるので、指６に対して安定的に荷重が負荷される。ゆえに、検出部５に対して指６がずれにくくなるので、生体情報検出装置１は、生体情報を精度よく検出できる。
【００４９】
また、生体情報検出装置１は、上筐体３の凹部３８内で上下移動可能に設けられた検出部５を備えている。指６の配置に応じて、指６の掌面と検出部５の下面が対向するように、検出部５を上下移動させることができるため、検出部５は、指６の掌面に密着できる。検出部５は、指６の掌面に対して大きい面積部分で密着できるので、指６に対して安定的に荷重が負荷される。ゆえに、検出部に対して指６がずれにくくなるので、生体情報検出装置１は、生体情報を精度よく検出できる。
【００５０】
また、生体情報検出装置１は、支点部５５を有し、その支点部５５を支点として上筐体３に対して回動可能な検出部５を備えている。指６の配置に応じて、指６の掌面と検出部５の下面とが対向するように、検出部５を回動させることができるため、検出部５は、指６の掌面に密着できる。検出部５は、指６の掌面に対して大きい面積部分で密着できるので、指６に対して安定的に荷重が負荷される。ゆえに、検出部に対して指６がずれにくくなるので、生体情報検出装置１は、生体情報を精度よく検出できる。
【００５１】
また、生体情報検出装置１は、傾斜面２７を有する切欠き面２３を備えている。
これにより、使用者は、指６の掌面を検出部５に対して水平に接触させることができる。ゆえに、生体情報検出装置１は、生体情報を精度よく検出できる。
【００５２】
また、生体情報検出装置１は、上筐体３の内部に重り３３を備えている。これにより、上筐体３と重り３３との重量は、下筐体２の重量よりも大きい。ゆえに、上筐体３と重り３３との重量が下筐体２の重量より小さいときに比べ、生体情報検出装置１の総重量を小さくできる。
【００５３】
なお、上筐体３の重量は、およそ１７０ｇであることが好ましい。また、その内、重り３３の重量は、およそ１５０ｇである。下筐体２の重量は、およそ３０ｇであることが好ましい。ただし、これらに限定されない。
【００５４】
また、生体情報検出装置１は、上筐体３の略直方体の部材の内部に、内部の前方の端面から凹部３８の後方にわたって金属製の重り３３を備えている。樹脂製の上筐体３の重量に対して金属製の重り３３の重量は十分に大きい。これにより、重り３３および検出部５を含む上筐体３の重心は、上筐体３の前後方向の中央より前側に存在する。すなわち、図２に示すように、上筐体３の前側の端３９と重心Ｐとの間の距離Ｌａは第１辺３５と重心Ｐとの間の距離Ｌｂよりも短い。これにより、重心が上筐体３の後方に存在する場合に比べ、検出部５にかかるモーメントは大きくなる。ゆえに、指６に所定荷重を負荷するための重り３３の重量を小さくできるので、生体情報検出装置１の総重量を小さくできる。
【００５５】
また、生体情報検出装置１は、検出部５に発光素子５３と受光素子５２を備えている。これにより、検出部５は、切欠き面２３に載置された指６に照射した照射光５８のうち、指６により反射された反射光５９を検出できる。指６により反射された反射光５９を検出する反射式の方が、指６を透過した透過光を検出する透過式よりも、生体情報を精度よく検出できる。理由は、血管６１と検出部５との距離が透過式よりも反射式の方が短く取れるので、受光感度が高くなるためである。ゆえに、生体情報検出装置１は、指６を透過した透過光を検出するよりも、生体情報を精度よく検出できる。
【００５６】
なお、本発明は、上記の実施形態に限定されず、種々の変更が可能である。生体情報検出装置１は、図１に示す回動軸である２つの支持部４の代わりに、図５に示す生体情報検出装置１１のように、上筐体３０１に形成された一対の軸棒挿通穴４２１に挿通される一対の軸棒４１１を有する支持部４０１を備えてもよい。以下、生体情報検出装置１１について説明する。
【００５７】
生体情報検出装置１１は、図５に示すように、下筐体２０１、上筐体３０１、支持部４０１、および検出部（図示略）を主として備える。下筐体２０１および上筐体３０１の形状は、それぞれ、生体情報検出装置１の第１箱部材２０および第２箱部材３０の形状と略等しい。切欠き面２３１、第２面２２１、凹部３８１、および第１面３４１は、それぞれ、生体情報検出装置１の切欠き面２３、第２面２２、凹部３８、および第１面３４に対応する。なお、図示していないが、凹部３８には、生体情報検出装置１の検出部５と同一の検出部が設けられる。
【００５８】
一対の軸棒４１１のそれぞれの形状は、円柱状である。一対の軸棒４１１のそれぞれは、下筐体２０１の第２面２２１の前後方向の中央かつ左右方向の端近傍から、上方に向けて延びるように設けられる。一対の軸棒挿通穴４２１のそれぞれは、上筐体３０１の前後方向の中央かつ左右方向の端近傍に形成される。一対の軸棒挿通穴４２１のそれぞれは、上筐体３０１を上下方向に貫通する。一対の軸棒４１１のそれぞれは、一対の軸棒挿通穴４２１のそれぞれに挿通される。すなわち、上筐体３０１は、一対の軸棒４１１に沿って、下筐体２０１に対して上下移動可能である。
【００５９】
以上の場合、使用者は、一対の軸棒４１１に沿って、上筐体３０１を下筐体２０１に対して上下移動させることにより、下筐体２０１の第２面２２１と上筐体３０１の第１面３４１とが離隔した第１状態と、下筐体２０１の第２面２２１と上筐体３０１の第１面３４１とか近接した第２状態とを切り替えることができる。従って、使用者は、生体情報検出装置１１を第１状態として、切欠き面２３に指６を載置させた後、生体情報検出装置１１を第２状態とすることによって、容易に第１状態と第２状態とを切り替えることができる。ゆえに、使用者は、容易に指６を固定させることができる。
【００６０】
生体情報検出装置１は、図１に示す下筐体２の代わりに、図６および図７に示す生体情報検出装置１２のように、下筐体７を備えてもよい。以下、生体情報検出装置１２について説明する。なお、上筐体３、支持部４、および検出部５については、図１に示す生体情報検出装置１と同一であるので、同一符号を付し、説明を省略する。
【００６１】
下筐体７は、樹脂製である。下筐体７は、第１箱部材２０２、一対の第１延出部材２１２、および切欠き面２３２を備える。第１箱部材２０２、第１延出部材２１２、および切欠き面２３２は、それぞれ、生体情報検出装置１における下筐体２の第１箱部材２０、一対の第１延出部材２１、および切欠き面２３に対応する。切欠き面２３２の水平面２６２、傾斜面２７２、および側面２８２は、それぞれ、生体情報検出装置１における切欠き面２３の水平面２６、傾斜面２７、および側面２８に対応する。２つの支持部４のそれぞれは、下筐体７と上筐体３とを回動可能に連結する。
【００６２】
下筐体７が下筐体２と異なる点は、台座筐体７１が嵌まる凹部７３と、図示略の第１スリットと、一対の第２スリット７４と、スペーサー８０２とが第１箱部材２０２に設けられる点、および上下移動可能な台座筐体７１上に切欠き面２３２が形成される点である。
【００６３】
凹部７３は、平面視、第１箱部材２０２の前方の端から後方の端近傍にわたって、かつ左側の端近傍から右側の端近傍にわたって形成される。台座筐体７１は、凹部７３に上側から嵌まる。台座筐体７１は、上側に切欠き面２３２を有する。台座筐体７１の上下方向の長さは、凹部７３の上下方向の長さよりもわずかに短い。
【００６４】
第１スリットは、第１箱部材２０２の後側の側面の下部に左右方向に延びるように設けられる。第１スリットは、第１箱部材２０２の後側の側面から前方に延び、凹部７３に連通する。一対の第２スリット７４のそれぞれは、第１箱部材２０２の左右側の側面に前後方向に延びるように設けられる。第２スリット７４のそれぞれは、第１箱部材２０２の左右方向の側面から左右内側に延び、凹部７３に連通する。第１スリットの上下方向の長さと、一対の第２スリット７４の上下方向の長さとは略等しい。
【００６５】
スペーサー８０２の形状は、板状である。スペーサー８０２の上下方向の長さは、第１スリットおよび一対の第２スリット７４のそれぞれの上下方向の長さよりもわずかに短い。スペーサー８０２の前後方向の長さは、下筐体７の前後方向の長さの略半分である。
【００６６】
スペーサー８０２は、第１スリットおよび一対の第２スリット７４の延びる平面に沿って、前後方向に移動可能である。スペーサー８０２は、後方に移動した状態で一対の第１延出部材２１２の間に配置される。スペーサー８０２は、第１スリット内を前方に移動可能である。スペーサー８０２は、前方に移動する場合、台座筐体７１と第１箱部材２０２との間に進入する。スペーサー８０２の左右両側に、外側に突出する一対のつまみ７５が設けられている。一対のつまみ７５のそれぞれは、一対の第２スリット７４のそれぞれから外側に突出する。使用者は、一対のつまみ７５を持って前後方向に移動させることによって、スペーサー８０２を前後方向に水平移動させることができる。
【００６７】
スペーサー８０２が後方に移動した場合（図７参照）、第１箱部材２０２と台座筐体７１の下面（以下、第３面７２という。）とが接触する状態まで下方に移動する。一方、スペーサー８０２が前方に移動した場合（図６参照）、スペーサー８０２の上面と第３面７２とは接触し、台座筐体７１は、スペーサー８０２上に載置された状態になる。この状態で、切欠き面２３２は、スペーサー８０２の厚さ分上側に移動する。
【００６８】
なお、スペーサー８０２の上下方向の長さは、２．８ｍｍであることが好ましい。理由は、次の通りである。指６の腹部の厚みの統計値によると、最大値と最小値との差はおよそ５．６ｍｍである。指６の腹部の厚みが薄い場合は、支持部４を支点とした上筐体３の回動と、支点部５５を支点とした検出部５の回動によって調整できる。以上を根拠として、５．６ｍｍの半分である２．８ｍｍとした。ただし、これに限定されない。また、スペーサーが第３面７２の下方に配置された状態（図６参照）では、第２状態における第１面３４と水平面２６２との間の距離は、６．５ｍｍであることが好ましいが、これに限定されない。
【００６９】
以上の場合、使用者は、スペーサー８０２を前後に水平移動させることにより、スペーサー８０２を台座筐体７１の第３面７２の下方に配置させた状態（図６参照）と、スペーサー８０２を第３面７２に接触しない位置に配置させた状態（図７参照）とに切り替えることができる。従って、使用者は、第２状態において、指６の上下方向の厚みに応じて、切欠き面２３２の水平面２６２と上筐体３の第１面３４との間の距離を切り替えることができる。これにより、上下方向の厚みが異なる指６に対しても、安定的に荷重が負荷される。安定的な荷重が負荷されることにより、部分的に押圧されて十分な接触面積が確保できず、指６に対する押圧力が強すぎて血流を止めたり、指６に対して押圧力がかからず指６の位置がずれてしまったりする虞がない。ゆえに、検出部５に対して指６がずれにくくなるので、生体情報検出装置１２は、生体情報を精度よく検出できる。
【００７０】
生体情報検出装置１は、図１に示す下筐体２の代わりに、図８に示す生体情報検出装置１３のように、下筐体９を備えてもよい。以下、生体情報検出装置１３について説明する。なお、上筐体３、支持部４、および検出部５については、図１に示す生体情報検出装置１と同一であるので、同一符号を付し、説明を省略する。
【００７１】
下筐体９は、樹脂製である。下筐体９は、第１箱部材２０３、一対の第１延出部材２１３、および切欠き面２３３を備える。第１箱部材２０３、一対の第１延出部材２１３、および切欠き面２３３は、ぞれぞれ、生体情報検出装置１における下筐体２の第１箱部材２０、一対の第１延出部材２１、および切欠き面２３に対応する。切欠き面２３３の水平面２６３、傾斜面２７３、および側面２８３は、それぞれ、生体情報検出装置１における切欠き面２３の水平面２６、傾斜面２７、および側面２８に対応する。２つの支持部４のそれぞれは、下筐体９と上筐体３とを回動可能に連結する。
【００７２】
下筐体９が下筐体２と異なる点は、上下移動可能な台座筐体９１上に切欠き面２３３が形成される点、第１箱部材２０３に台座筐体９１が嵌まる凹部９３が形成される点、および４つのねじ８０３が設けられる点である。なお、台座筐体９１および凹部９３は、それぞれ、図６および図７に示す生体情報検出装置１２における台座筐体７１および凹部７３と同一である。台座筐体９１の第３面９２は、台座筐体７１の第３面７２に対応する。
【００７３】
第３面９２の四隅近傍に、４つの第２穴８２３が形成される。４つの第２穴８２３は、それぞれ、第３面９２から上方に向けて延びる。４つの第２穴８２３のそれぞれの内壁に、後述するねじ８０３を螺合するためのねじ山が設けられる。
【００７４】
下筐体９の第１箱部材２０３の下面には、４つの第１穴８１３が形成される。４つの第１穴８１３は、それぞれ、下面から上方に向けて延びる。４つの第１穴８１３は、台座筐体９１の４つの第２穴８２３のそれぞれの下方に設けられる。４つの第１穴８１３は、第１箱部材２０３を上下方向にそれぞれ貫通する。４つの第２穴８２３のそれぞれは、後述するねじ８０３を挿通できる。
【００７５】
４つのねじ８０３は、４つの第１穴８１３に下側から上方に向けて挿通され、台座筐体９１の４つの第２穴８２３にそれぞれ螺合する。台座筐体９１の第３面９２は、４つのねじ８０３がそれぞれ締めこまれることにより、下方に移動し、第１箱部材２０３に接触する。すなわち、台座筐体９１は、第１箱部材２０３上に載置された状態になる。一方、台座筐体９１の第３面９２は、４つのねじ８０３がそれぞれ緩められることにより、上方に移動し、第１箱部材２０３から離隔する。
【００７６】
なお、ねじ８０３を最大限締めこんだ場合の第３面９２と下筐体９の下面との間の距離と、ねじ８０３を最大限緩めた場合の第３面９２と下筐体９の下面との間の距離との差は、２．８ｍｍであることが好ましい。理由は、次の通りである。指６の腹部の厚みの統計値によると、最大値と最小値との差はおよそ５．６ｍｍである。指６の腹部の厚みが薄い場合は、支持部４を支点とした上筐体３の回動と、支点部５５を支点とした検出部５の回動によって調整できる。以上を根拠として、５．６ｍｍの半分である２．８ｍｍとした。ただし、これに限定されない。また、ねじ８０３を最大限緩めた状態では、第２状態における第１面３４と水平面２６３との間の距離は、６．５ｍｍであることが好ましいが、これに限定されない。また、ねじ８０３、第１穴８１３および第２穴８２３は、それぞれ４つとしたが、１つであってもよく、これらに限定されない。
【００７７】
以上の場合、使用者は、ねじ８０３を締めたり緩めたりすることにより、第２状態において、指６の上下方向の厚みに応じて、切欠き面２３３の水平面２６３と上筐体３の第１面３４との間の距離を切り替えることができる。これにより、上下方向の厚みが異なる指６に対しても、安定的に荷重が負荷される。ゆえに、検出部５に対して指６がずれにくくなるので、生体情報検出装置１３は、生体情報を精度よく検出できる。
【００７８】
なお、切欠き面２３の上下方向の位置を下筐体２に対して変更する方法は、上記の生体情報検出装置１２および生体情報検出装置１３の方法に限らず、他の方法であってもよい。
【００７９】
本発明においては、上筐体３と重り３３とが「第１部材」に相当する。下筐体２が「第２部材」に相当する。２つの支持部４を結ぶ位置が「特定の位置」に相当する。上筐体３と重り３３との重量が「第１重量」に相当する。下筐体２の重量が「第２重量」に相当する。切欠き面２３が「第１特定面」に相当する。特定面２４が「第２特定面」に相当する。台座筐体７１または台座筐体９１が「第１特定部材」に相当する。下筐体７のうち台座筐体７１を除いた部分、または下筐体９のうち台座筐体９１を除いた部分が「第２特定部材」に相当する。スペーサー８０２、またはねじ８０３が「切替部」に相当する。第２状態の生体情報検出装置１２において、スペーサー８０２が第３面７２の下方に配置した場合の水平面２６２と第１面３４との間の距離、または第２状態の生体情報検出装置１３において、ねじ８０３が第２穴８２３に締めこまれていない場合の水平面２６３と第１面３４との間の距離が「第１距離」に相当する。第２状態の生体情報検出装置１２において、スペーサー８０２が第３面７２と接触しない位置に配置した場合の水平面２６２と第１面３４との間の距離、または第２状態の生体情報検出装置１３において、ねじ８０３が第２穴８２３に締めこまれている場合の水平面２６３と第１面３４との間の距離が「第２距離」に相当する。
【符号の説明】
【００８０】
１、１１〜１３        生体情報検出装置
２、７、９、２０１    下筐体
３、３０１            上筐体
４、４０１            支持部
５                    検出部
６                    指
２２、２２１          第２面
２３、２３１〜２３３  切欠き面
２４                  特定面
２６、２６２、２６３  水平面
２７、２７２、２７３  傾斜面
３４、３４１          第１面
５２                  受光素子
５３                  発光素子
５５                  支点部
５８                  照射光
５９                  反射光
７１、９１            台座筐体
７２、９２            第３面
４１１                軸棒
８０２                スペーサー
８０３                ねじ
【図１】
2016067625.tif 000003
【図２】
2016067625.tif 000004
【図３】
2016067625.tif 000005
【図４】
2016067625.tif 000006
【図５】
2016067625.tif 000007
【図６】
2016067625.tif 000008
【図７】
2016067625.tif 000009
【図８】
2016067625.tif 000010